(57)【要約】【課題】工具の使用中にはスペーサーアダプターが外れにくく、工具の使用後にはスペーサーアダプターの取り外しが容易であること。【解決手段】工具保持装置１は、凸状の挿入部２２が設けられている工具１１と、工具の挿入部２２が挿入されるとともに、外周面４１ａまで貫通している凹状の溝部４３と、凸状のホルダ挿入部４２と、を有するスペーサーアダプター１３と、ホルダ挿入部４２が挿入されるホルダ１２と、を備える工具保持装置であって、溝部４３を形成する両側面４４には突出部４５が設けられており、溝部４３に挿入部２２が挿入される前の状態では、両側面４４において対向する突出部４５の先端の間の幅の長さが、工具１１の挿入部２２の幅の長さより短い。【選択図】図１
2018103271.tif 000002
【特許請求の範囲】
【請求項１】
凸状の挿入部が設けられている工具と、
前記工具の挿入部が挿入されるとともに、外周面まで貫通している凹状の溝部と、凸状のホルダ挿入部と、を有するスペーサーアダプターと、
前記ホルダ挿入部が挿入されるホルダと、を備える工具保持装置であって、
前記溝部を形成する両側面には突出部が設けられており、
前記溝部に前記挿入部が挿入される前の状態では、前記両側面において対向する前記突出部の先端の間の幅の長さが、前記工具の前記挿入部の幅の長さより短い、
工具保持装置。
【発明の詳細な説明】
【技術分野】
【０００１】
本発明は、工具保持装置に関する。
【背景技術】
【０００２】
従来、このような分野の技術として、実開昭６３−２１５０３号公報がある。この公報に記載されたコレットホルダには、工具にアダプタを差し込んでホルダに装備し、アダプタによって、工具がホルダから突出している量を調節する。
【先行技術文献】
【特許文献】
【０００３】
【特許文献１】実開昭６３−２１５０３号公報
【発明の概要】
【発明が解決しようとする課題】
【０００４】
しかしながら、前述した従来のコレットホルダでは、ホルダから工具を取り出す際に、こうアダプタとして用いているスペーサー（以下、スペーサーアダプター）が、ホルダ内に残ってしまう場合がある。そのため、次に工具をホルダに装着させる際には、ホルダ内を確認する必要があり、ホルダ内にスペーサーアダプターが残っている場合には、スペーサーアダプターを取り出す作業が必要になる。
本発明は、工具の使用中にはスペーサーアダプターが外れにくく、工具の使用後にはスペーサーアダプターの取り外しが容易である工具保持装置を提供する。
【課題を解決するための手段】
【０００５】
本発明にかかる工具保持装置は、凸状の挿入部が設けられている工具と、前記工具の挿入部が挿入されるとともに、外周面まで貫通している凹状の溝部と、凸状のホルダ挿入部と、を有するスペーサーアダプターと、前記ホルダ挿入部が挿入されるホルダと、を備える工具保持装置であって、前記溝部を形成する両側面には突出部が設けられており、前記溝部に前記挿入部が挿入される前の状態では、前記両側面において対向する前記突出部の先端の間の幅の長さが、前記工具の前記挿入部の幅の長さより短い。
これにより、スペーサーアダプターにより工具を拘束した状態で、ホルダに対して工具の着脱を行うことができる。
【発明の効果】
【０００６】
これにより、工具の使用中にはスペーサーアダプターが外れにくく、工具の使用後にはスペーサーアダプターの取り外しが容易である工具保持装置を提供することができる。
【図面の簡単な説明】
【０００７】
【図１】工具保持装置の構成を示す図である。
【図２】工具をホルダにセットした状態を示す斜視図である。
【図３】工具の断面図である。
【図４】ホルダの拡大断面図である。
【図５】スペーサーアダプターの断面図である。
【図６】スペーサーアダプターに対して工具の装着を行う様子を示すである。
【図７】ホルダに対してスペーサーアダプター付きの工具の装着を行う様子を示す図である。
【図８】ホルダから工具の脱着を行う様子を示す図である。
【図９】スペーサーアダプターから工具の脱着を行う様子を示す図である。
【発明を実施するための形態】
【０００８】
以下、図面を参照して本発明の実施の形態について説明する。図１に示すように、工具保持装置１は、工具１１と、工具１１をセットするホルダ１２と、工具１１に取り付けられた状態でホルダ１２内に配置され、ホルダ１２に工具１１を接続するスペーサーアダプター１３と、を備える。なお図１に示すように、ホルダ１２を下方に配置し、工具１１を上方に配置した状態で、工具１１をホルダ１２に着脱するものとして説明する。
【０００９】
図２及び図３に示すように、工具１１は、例えば略円柱状の柄部２１を有するコレットである。柄部２１の下端部の底面には、軸方向に突出する凸部（挿入部）２２が形成されている。なお凸部２２は、柄部２１の下端部において、底面の中心を通る直径上に延在するように形成されている。ここで凸部２２において、延在方向に対して垂直方向である幅の長さをＡとする。
【００１０】
図４に示すように、ホルダ１２は、工具１１として用いられているコレットを保持するコレットホルダである。ホルダ１２の本体部３０は、略円柱状であり、上面側の中央部には、工具１１の柄部２１及びスペーサーアダプター１３が挿入される穴部３１が形成されている。例えば穴部３１は、略円柱状である。また、穴部３１により形成されるホルダ１２の内部の底部には、後述するスペーサーアダプター１３のホルダ挿入部４２が挿入される凹部３２が形成されている。ここで、凹部３２は、ホルダ１２の内部の円径状の底面において、中心を通る直径上に延在するように、下方に窪んだ形状である。なお、本体部３０の下方には軸部３３が突出するように設けられている。
【００１１】
図２及び図５に示すように、スペーサーアダプター１３は、略円柱状の本体部４１と、本体部４１の下面から下方に突出するホルダ挿入部４２と、を備える。例えばホルダ挿入部４２は、本体部４１の下面において、円形の中心を通る直径上に延在するように形成されている。
【００１２】
本体部４１の上面には、工具１１の凸部２２が挿入される凹状の溝部４３を有する。より具体的には、溝部４３は、略円柱状の本体部４１の底部の中心を通り外周面４１ａまで貫通するように形成されている。言い換えると、溝部４３の底面が、本体部４１の径方向に延在するように形成されている。溝部４３に工具１１の凸部２２が挿入された状態において、工具１１を溝部４３の延在する方向にスライドさせることで、溝部４３から凸部２２を取り外すことができる。
【００１３】
また、溝部４３を形成している本体部４１の内側の２つの壁部（両側面）４４の夫々には、溝部４３の内側方向に突出する複数の山部（突出部）４５が形成されている。ここで例えば、一方の壁部４４Ａの山部４５の頂点４５ａと、他方の壁部４４Ｂの山部４５の頂点４５ａの距離をＢとする。なお、山部４５は、溝部４３に凸部２２が挿入される前の状態では、距離Ｂが、工具１１の凸部２２の幅Ａの長さより短くなるように形成されている。
【００１４】
なお山部４５は、壁部４４において、径方向に沿って延在するように形成されている。また、複数の山部４５は、夫々の溝部４３の内側方向への突出量が、略同一となるように形成されている。複数の山部４５の夫々は、頂点４５ａから壁部４４の方向に、斜め上方向に延びるテーパ面部４５ｂと、頂点４５ａから壁部４４の方向に、略水平に延びる下面部４５ｃとを備えている。言い換えると、テーパ面部４５ｂは、溝部４３の内側に向かって斜め下方向に延びるように形成されている。
【００１５】
次に、スペーサーアダプター１３を用い、ホルダ１２に工具１１を装着する場合について説明する。
【００１６】
工具１１をスペーサーアダプター１３に装着する際には、図６に示すように、スペーサーアダプター１３を溝部４３が上方になるように配置するとともに、工具１１の凸部２２が溝部４３に対向するように配置した状態で、工具１１を下降させる。これにより、工具１１の凸部２２が、スペーサーアダプター１３の溝部４３に挿入される。
【００１７】
このとき、溝部４３を形成する壁部４４のテーパ面部４５ｂは、溝部４３の内側に向かって斜め下方向に延びるように形成されているため、工具１１の凸部２２は、壁部４４側に山部４５を押圧しながら、溝部４３内に挿入される。ここで凸部２２の幅Ａは、山部４５の頂点４５ａどうしの幅の距離Ｂより僅かに長いため、凸部２２は、溝部４３に挿入された後に壁部４４から押圧され、山部４５のバネ力が働く（図７参照）。これにより、工具１１は、スペーサーアダプター１３から軸方向に抜けにくくなる。
【００１８】
図７に示すように、スペーサーアダプター１３が装着された工具１１を、ホルダ１２に装着する際には、ホルダ１２の凹部３２に、スペーサーアダプター１３のホルダ挿入部４２が対向するように配置した状態で、凹部３２にホルダ挿入部４２が挿入されるように、工具１１をホルダ１２の穴部３１に挿入する。これにより、工具１１は、ホルダ１２に装着される。
【００１９】
次に、工具１１をホルダ１２及びスペーサーアダプター１３から脱着させる場合について説明する。
【００２０】
図８に示すように、スペーサーアダプター１３が装着された工具１１をホルダ１２から脱着させる際には、ホルダ１２を固定した状態で、工具１１を上昇させる。このとき、工具１１は、スペーサーアダプター１３の溝部４３を形成する壁部４４において、山部４５のバネ力により押圧されているため、スペーサーアダプター１３が工具１１から外れない。したがって、ホルダ１２から工具１１を抜く際に、スペーサーアダプター１３を工具１１に付けたまま、ホルダ１２から離脱させることができる。
【００２１】
次に、図９に示すように、スペーサーアダプター１３から工具１１を取り外す際には、スペーサーアダプター１３の本体部４１の径方向、すなわち、山部４５の稜線方向にスライド動作させる。ここで、工具１１とスペーサーアダプター１３は、山部４５の頂点４５ａにおいて接触しており、接触面積が最小であるため、最小限の力で工具１１をスペーサーアダプター１３から離脱させることができる。
【００２２】
これにより、工具の使用中には、スペーサーアダプターの溝部に設けられた山部により工具をスペーサーアダプターに拘束するとともに、ホルダから工具を取り外す際には、工具をスペーサーアダプターに装着させた状態のまま、取り外しを行うことができる。さらに、ホルダから取り外された工具は、スペーサーアダプターに対してスライド動作させることで、容易に離脱させることができる。したがって、工具の使用中にはスペーサーアダプターが外れにくく、工具の使用後には、工具をスペーサーアダプターから容易に取り外すことができる。
【００２３】
なお、本発明は上記実施の形態に限られたものではなく、趣旨を逸脱しない範囲で適宜変更することが可能である。例えば、工具１１はコレットであり、ホルダ１２がコレットホルダであるものとして説明したが、これに限られず、アダプターを用いて装着される他の工具と工具ホルダの組み合わせに用いてもよい。
【符号の説明】
【００２４】
１            工具保持装置
１１            工具
１２            ホルダ
１３            スペーサーアダプター
２１            柄部
２２            凸部（ホルダ挿入部）
３０            本体部
３１            穴部
３２            凹部
３３            軸部
４１            本体部
４１ａ            外周面
４２            ホルダ挿入部
４３            溝部
４４            壁部
４５            山部（突出部）
４５ａ            頂点
４５ｂ            テーパ面部
４５ｃ            下面部
【図１】
2018103271.tif 000003
【図２】
2018103271.tif 000004
【図３】
2018103271.tif 000005
【図４】
2018103271.tif 000006
【図５】
2018103271.tif 000007
【図６】
2018103271.tif 000008
【図７】
2018103271.tif 000009
【図８】
2018103271.tif 000010
【図９】
2018103271.tif 000011